(57)【要約】【課題】  再接続する可能性がある無線端末装置に対して、再接続先のアクセスポイントを経由した通信では、十分な通信が行えないことを事前に警告すること。【解決手段】  無線ＬＡＮ制御部１０１は、無線端末装置１１３、１１４、１１５から受信する電界強度を測定し、警告対象端末選択部１０９は、有線ＬＡＮ１０５を介して自己に隣接するアクセスポイントの負荷情報を取得し、無線端末装置１１３、１１４、１１５から受信する電界強度が所定の閾値未満になると、上記負荷情報が所定の閾値以上であるか否かを判断し、判断の結果が負荷情報は所定の閾値以上であると、送信パケット制御部１１１が、所定のパケットに所定の加工を加えて、警告パケットを生成して無線端末装置１１３、１１４、１１５へ送信する。【選択図】        図２
2006295517.tif 000002
【特許請求の範囲】
【請求項１】
有線回線によって複数台相互に接続され、無線通信媒体を介するホスト間通信を中継する無線ＬＡＮのアクセスポイントであって、
前記ホストから受信する前記無線通信媒体の強度を測定する手段と、
前記有線回線を介して自己に隣接するアクセスポイントの負荷情報を取得する手段と、
前記ホストから受信する前記無線通信媒体の強度が所定の閾値未満になると、前記自己に隣接するアクセスポイントの負荷情報が所定の閾値以上であるか否かを判断する手段と、
前記判断の結果が前記負荷情報は所定の閾値以上であると、前記ホストへ送信すべきパケットを監視し、所定のパケットを警告対象パケットとして選択する手段と、
前記警告対象パケットに所定の加工を加えて、警告パケットを生成する手段と、
前記警告パケットを前記ホストに送信する手段とを備えることを特徴とする無線ＬＡＮのアクセスポイント。
【請求項２】
前記無線通信媒体を介して送受信する単位時間当たりの無線データ通信量を計測する手段と、
前記有線回線を介して送受信する単位時間当たりの有線データ通信量を計測する手段と、
前記無線データ通信量、及び前記有線データ通信量の計測結果に基づいて、自己の負荷情報を算出し、前記自己に隣接するアクセスポイントから受け入れる負荷情報の取得要求に基づいて、前記有線回線を介して前記自己の負荷情報を前記隣接するアクセスポイントへ送出する手段とを更に備えることを特徴とする請求項１に記載の無線ＬＡＮのアクセスポイント。
【請求項３】
前記所定の加工は、前記警告対象パケットに対する所定比率のデータ削除であることを特徴とする請求項１又は請求項２に記載の無線ＬＡＮのアクセスポイント。
【請求項４】
前記所定の加工は、前記警告対象パケットに対する所定比率のデータ変更であることを特徴とする請求項１又は請求項２に記載の無線ＬＡＮのアクセスポイント。
【発明の詳細な説明】
【技術分野】
【０００１】
本発明は、無線ＬＡＮのアクセスポイントに関し、特に無線端末装置に対する警告機能に関するものである。
【背景技術】
【０００２】
無線ＬＡＮ（Ｌｏｃａｌ  Ａｒｅａ  Ｎｅｔｗｏｒｋ）では、アクセスポイントから受信する電波の電界強度が所定の値以下になると、無線端末装置は正常な通信を維持出来なくなると判断する。このとき無線端末装置は、該当するアクセスポイントとの接続を切断し、新たに接続可能な別のアクセスポイントを探索する。無線端末装置は、探索できたアクセスポイントと再接続を行い、データ通信を再開する。更に、無線端末装置は、アクセスポイントから受信する電波の電界強度が、現時点では正常な通信の維持が可能であっても、これ以上低下すると正常な通信が維持出来なくなることを予想する。このとき無線端末装置は、自ら警告を発することも可能である。この警告機能は一般的な携帯電話に備えられている通話品質アラーム機能（特許文献１参照）と同等である。
【０００３】
一方、従来の無線ＬＡＮでは、新たなアクセスポイントの探索は、その新たなアクセスポイントに、その時点で接続されている無線端末装置の数量やデータ量等には無関係に実行されていた。従って、新たなアクセスポイントに接続されている無線端末装置の数量が多かったり、データ量が多かった場合には、この新たなアクセスポイントに接続されても、十分なデータ通信速度を得ることは困難になる。その結果、ファイル転送やメール送受信などのように、データ通信速度が遅くなっても成り立つ通信の場合には問題がなくても、一定のデータ通信速度を必要とするＩＰ電話等では音声の途切れが発生する等の問題が発生していた。
【特許文献１】特開２００２−５７６１９号公報
【発明の開示】
【発明が解決しようとする課題】
【０００４】
解決しようとする問題点は、上記従来の無線ＬＡＮでは、新たなアクセスポイントの探索は、その新たなアクセスポイントに、その時点で接続されている無線端末装置の数量やデータ量等には無関係に実行されていた点である。
【課題を解決するための手段】
【０００５】
本発明による無線ＬＡＮのアクセスポイントでは、ホストから受信する無線通信媒体の強度を測定する手段と、有線回線を介して自己に隣接するアクセスポイントの負荷情報を取得する手段と、上記ホストから受信する上記無線通信媒体の強度が所定の閾値未満になると、自己に隣接するアクセスポイントの負荷情報が所定の閾値以上であるか否かを判断する手段と、判断の結果が、上記負荷情報は所定の閾値以上であると、上記ホストへ送信すべきパケットを監視し、所定のパケットを警告対象パケットとして選択する手段と、上記警告対象パケットに所定の加工を加えて、警告パケットを生成する手段とを備え、該警告パケットを上記ホストへ送信して警告することを主要な特徴とする。
【発明の効果】
【０００６】
本発明によれば、別のアクセスポイントに再接続する可能性がある無線端末装置に対して、本来送信する筈のパケットデータの一部を強制的に欠落させる等して、通話音声に途切れやノイズを発生させ、無線端末装置を利用している通話者に対して警告を行い、再接続先のアクセスポイントを経由した通信では、十分な通信が行えないことを事前に警告することが可能になるという効果を得る。
【発明を実施するための最良の形態】
【０００７】
本来送信する筈のパケットデータの一部を強制的に欠落させることで通話音声に途切れやノイズを発生させる警告に換えて、本来送信する筈のパケットデータの一部を強制的に警告音で置き換えることで通話音声に警告音を再生させ、無線端末装置を利用している通話者に対して警告を行う事とした。
【実施例１】
【０００８】
最初に、本実施例によるアクセスポイントが含まれる無線ＬＡＮシステムの全体構成の概要について説明し、続いて本実施例によるアクセスポイントについて詳細に説明する。
図１は、実施例１による無線ＬＡＮシステムの構成図である。
図に示すように、実施例１による無線ＬＡＮシステムは、アクセスポイント１００、１１６、１１７と、無線端末装置１１３、１１４、１１５と、有線ＬＡＮ１０５とを含む。
【０００９】
アクセスポイント１００、１１６、１１７は、無線ＬＡＮにおいて親機となる機器であって、無線ＬＡＮに接続されている無線端末装置等、ホスト間での中継機器となってホスト間通信を可能にする部分である。更に、有線ＬＡＮに接続して、該有線ＬＡＮ内に接続されている他のアクセスポイント、又は図示しない他の機器（ホストを含む）との通信を可能にする部分である。ここでは、一例として１００、１１６、１１７の３台に限定して説明する。
【００１０】
無線端末装置１１３、１１４、１１５は、アクセスポイント１００、１１６、１１７と電磁波を介して接続するホストであり、無線端末装置間、又は、有線ＬＡＮに接続されている他の機器との間で通信を行うＰＣ（パーソナルコンピュータ）等の端末機器である。ここでは、一例として１００、１１６、１１７の３台に限定して説明する。
【００１１】
有線ＬＡＮ１０５は、複数台のアクセスポイント、及びその他図示しない複数台の機器（ホストを含む）を有線で接続するネットワークであり、例えばＥｔｈｅｒｎｅｔ（ゼロックス社の登録商標）などが該当する。
【００１２】
図２は、実施例１のアクセスポイントの機能説明図である。
図に示すように、本実施例によるアクセスポイント１００は、無線ＬＡＮ制御部１０１と、無線パケット受信部１０２と、受信パケットバッファ１０３と、有線ＬＡＮ制御部１０４と、送信パケットバッファ１０６と、無線パケット送信部１０７と、受信端末電界強度記憶部１０８と、警告対象端末選択部１０９と、警告対象パケット選択部１１０と、送信パケット制御部１１１と、負荷判定部１１２と、アンテナ１２０とを備える。
【００１３】
無線ＬＡＮ制御部１０１は、無線端末装置１１３、１１４、１１５から送信される電磁波をアンテナ１２０で受信し、復調し、パケットデータを取りだして無線パケット受信部１０２へ送出する部分である。又、無線端末装置１１３、１１４、１１５から受信する電磁波の電界強度を測定し、数値化し、その値を受信端末電界強度記憶部１０８へ送出する部分である。又、無線パケット送信部１０７からパケットデータを受け入れて変調し、アンテナ１２０から電磁波を介して無線端末装置１１３、１１４、１１５へ送信する部分である。更に、無線パケット受信部１０２へ送出した受信データの転送速度と、無線パケット送信部１０７から受け入れた送信データの転送速度とを計測し、その値を負荷判定部１１２へ送出する部分である。
【００１４】
無線パケット受信部１０２は、無線ＬＡＮ制御部１０１からパケットデータを受け入れて、受信パケットバッファ１０３へ送出する部分である。
受信パケットバッファ１０３は、無線パケット受信部１０２からパケットデータを受け入れて一時記憶し、有線ＬＡＮ制御部１０４から受け入れる読み出し要求に応じて、記憶しているパケットデータを読み出して送出する部分である。
【００１５】
有線ＬＡＮ制御部１０４は、受信パケットバッファ１０３から受け入れたパケットデータを有線ＬＡＮ１０５へ送信する部分である。又、有線ＬＡＮ１０５から受信したパケットデータを送信パケットバッファ１０６へ送出する部分である。又、受信パケットバッファ１０３から受け入れたパケットデータの転送速度と、有線ＬＡＮ１０５を介して受信し、送信パケットバッファ１０６へ送出したパケットデータの転送速度とを計測し、その値を負荷判定部１１２へ送出する部分である。更に、他のアクセスポイントから負荷情報の問い合わせが有った場合に、負荷判定部１１２から負荷情報を取り出して要求元のアクセスポイントへ有線ＬＡＮ１０５を介して送信する部分である。
【００１６】
送信パケットバッファ１０６は、有線ＬＡＮ制御部１０４から受け入れたパケットデータを一時記憶し、無線パケット送信部１０７から受け入れる読み出し要求に応じて、記憶しているパケットデータを読み出して無線パケット送信部１０７へ送出する部分である。
【００１７】
無線パケット送信部１０７は、無線ＬＡＮ制御部１０１の制御に基づいて、送信パケットバッファ１０６からパケットデータを受け入れて無線ＬＡＮ制御部１０１へ送出する部分である。又、このとき、送信パケット制御部１１１の制御に基づいて、パケットデータの加工を受け入れる部分である。
【００１８】
受信端末電界強度記憶部１０８は、無線ＬＡＮ制御部１０１から電界強度値を受け入れて記憶しておく部分である。又、警告対象端末選択部１０９からの要求に応じて、自己が記憶する電界強度値を警告対象端末選択部１０９へ送出する部分である。
【００１９】
警告対象端末選択部１０９は、有線ＬＡＮ制御部１０４に対して、近隣のアクセスポイントの負荷情報の取得を要求し、取得した値を記憶する部分である。又、受信端末電界強度記憶部１０８が記憶する無線端末装置の電界強度値と近隣のアクセスポイントから受信した負荷情報に基づいて、電界強度値が低く、且つ、近隣するアクセスポイントの負荷率が大きい無線端末装置を、十分な通信速度が得られなくなる可能性が高い警告対象端末装置と判断する部分である。尚、ここで通信速度が得られなくなる可能性を判断する負荷率の大きさや、電界強度値については、予め実験結果などに基づいて所定の閾値を設定しておくものとする。
【００２０】
警告対象パケット選択部１１０は、警告対象端末選択部１０９から警告対象端末装置に関する情報を入手し、送信パケットバッファ１０６を監視し、警告対象端末装置へ送信するパケットデータが有線ＬＡＮ制御部１０４から送られてきたときに、所定のパケットデータを警告対象パケットとし、警告対象パケット情報を送信パケット制御部１１１へ送出する部分である。ここで所定のパケットデータとは、例えばＩＰ電話パケット等、パケットデータの種類が予め定められているものとする。
【００２１】
送信パケット制御部１１１は、警告対象パケット選択部１１０から受け入れた警告対象パケット情報に基づいて、無線パケット送信部１０７を制御して送信パケットに所定の加工を施す部分である。この所定の加工については、後に動作の項で図を用いて詳細に説明する。
【００２２】
負荷判定部１１２は、無線ＬＡＮ制御部１０１、及び有線ＬＡＮ制御部１０４から送受信データパケットの転送速度を受入れて、アクセスポイント１００が現在単位時間当たりに処理している負荷率を算出して記憶する部分である。ここで負荷率とは、アクセスポイント１００の単位時間当たりの最大データ処理量に対する現時点に於ける単位時間当たりのデータ処理量を言う。
【００２３】
次に、図中のステップＳ１−１〜ステップＳ１−１２、及びステップｓ１−１〜ステップｓ１−１０まで、ステップ順に従って、本実施例のアクセスポイント内部に於ける信号の流れ（各部分の動作）について詳細に説明する。最初に無線端末装置から受信した信号の流れについて説明し、続いて無線端末装置へ送信する信号の流れについて説明する。
【００２４】
ステップＳ１−１
無線ＬＡＮ制御部１０１は、無線端末装置１１３、１１４、１１５から送信される電磁波をアンテナ１２０で受信する。
【００２５】
ステップＳ１−２
無線ＬＡＮ制御部１０１は、無線端末装置１１３、１１４、１１５から受信する電磁波の電界強度を測定し、数値化し、その値を受信端末電界強度記憶部１０８へ送出し記憶させる。
【００２６】
ステップＳ１−３
無線ＬＡＮ制御部１０１は、アンテナ１２０から受け入れた信号を復調し、パケットデータを取りだして無線パケット受信部１０２へ送出する。
【００２７】
ステップＳ１−４
無線ＬＡＮ制御部１０１は、無線パケット受信部１０２へ送出した送信データの転送速度を計測し、その値を負荷判定部１１２へ送出して記憶させる。
【００２８】
ステップＳ１−５
無線パケット受信部１０２は、無線ＬＡＮ制御部１０１からパケットデータを受け入れて、受信パケットバッファ１０３へ送出し一時記憶させる。
【００２９】
ステップＳ１−６
有線ＬＡＮ制御部１０４は、受信パケットバッファ１０３からパケットデータを受け入れる。
【００３０】
ステップＳ１−７
有線ＬＡＮ制御部１０４は、警告対象端末選択部１０９から、近隣のアクセスポイントの負荷情報の取得要求を受け入れる。
【００３１】
ステップＳ１−８
有線ＬＡＮ制御部１０４は、受信パケットバッファ１０３から受け入れたパケットデータを有線ＬＡＮ１０５を介して他のアクセスポイントへ送信する。併せて警告対象端末選択部１０９から受け入れた近隣アクセスポイントの負荷情報の取得要求を有線ＬＡＮ１０５を介して他のアクセスポイントへ送信する。
【００３２】
ステップＳ１−９
有線ＬＡＮ制御部１０４は、受信パケットバッファ１０３からパケットデータを受け入れて有線ＬＡＮ１０５へ送信するパケットデータの転送速度を計測し、その値を負荷判定部１１２へ送出する。
【００３３】
ステップＳ１−１０
有線ＬＡＮ制御部１０４は、近隣のアクセスポイント１１６、１１７から負荷情報を取得する。
ステップＳ１−１１
有線ＬＡＮ制御部１０４は、取得したアクセスポイント１１６、１１７の負荷情報を警告対象端末選択部１０９へ送出する。
【００３４】
ステップＳ１−１２
警告対象端末選択部１０９は、受信端末電界強度記憶部１０８から読み出した、該当する無線端末装置から受け入れた電磁波の電界強度と、近隣のアクセスポイントから受信した負荷情報とに基づいて、電界強度値が予め定められている閾値よりも低く、且つ、近隣アクセスポイントの負荷率が予め定められている閾値よりも大きい無線端末装置を、十分な通信速度が得られなくなる可能性が高い警告対象端末装置と判断し、その判断結果を警告対象端末装置として記憶する。即ち、ハンドオーバが必要になっている無線端末装置であって、且つ、ハンドオーバ先のアクセスポイントの負荷率が大きいと判断されたときに、その無線端末装置は、警告対象端末装置であると判断されることになる。以上で無線端末装置からの信号の流れについての説明を終了し、続いて無線端末装置への信号の流れについて説明する。
【００３５】
ステップｓ１−１
有線ＬＡＮ制御部１０４は、有線ＬＡＮ１０５を介してアクセスポイント１１６、又はアクセスポイント１１７からパケットデータを受信する。
【００３６】
ステップｓ１−２
有線ＬＡＮ制御部１０４は、有線ＬＡＮ１０５から受信したパケットデータを送信パケットバッファ１０６へ送出して一時記憶させる。
【００３７】
ステップｓ１−３
有線ＬＡＮ制御部１０４は、有線ＬＡＮ１０５を介して受信したパケットデータを、送信パケットバッファ１０６へ送出した転送速度を計測し、その値を負荷判定部１１２へ送出する。
【００３８】
ステップｓ１−４
警告対象パケット選択部１１０は、警告対象端末選択部１０９から警告対象端末装置に関する情報を入手し、更に、送信パケットバッファ１０６を監視し、送信パケットバッファ１０６から受け入れたパケットが警告対象パケットであるか否かを判断する。
【００３９】
ステップｓ１−５
警告対象パケット選択部１１０は、受け入れたパケットが警告対象パケットであるか否かについての判断結果（警告対象パケット情報）を送信パケット制御部１１１に対して送出する。
【００４０】
ステップｓ１−６
無線パケット送信部１０７は、無線ＬＡＮ制御部１０１の制御に基づいて、送信パケットバッファ１０６からパケットデータを受け入れて無線ＬＡＮ制御部１０１へ送出する。
【００４１】
ステップｓ１−７
送信パケット制御部１１１は、警告対象パケット選択部１１０から受け入れた警告対象パケット情報に基づいて、無線パケット送信部１０７を制御し、ステップｓ１−６に於いて無線ＬＡＮ制御部１０１へ送出される送信パケットに所定の加工を施す。ここでパケットデータ加工の一例について説明する。
【００４２】
図３は、実施例１によるＩＰ電話パケットの加工例説明図である。
（ａ）は、正常時にアクセスポイント１００（図１）から無線端末装置１１３（図１）へ送信されるＩＰ電話パケットの一例であり、（ｂ）は、警告時にアクセスポイント１００（図１）から無線端末装置１１３（図１）へ送信されるＩＰ電話パケットの一例である。
【００４３】
（ａ）に示すように、正常時には、送信パケットバッファ１０６から連続するパケットが所定の順番にしたがって一定間隔で読み出され、無線ＬＡＮ制御部１０１へ送出される。一方、警告時には、本来所定の順番に従って一定間隔で読み出されるべきパケットの内、例えば４０％カットされた状態で読み出され無線ＬＡＮ制御部１０１へ送出される。
【００４４】
図２に戻って、
ステップｓ１−８
無線ＬＡＮ制御部１０１は、無線パケット送信部１０７からパケットデータを受け入れて変調し、アンテナ１２０から電磁波を介して無線端末装置１１３、１１４、１１５へ送信する。
ステップｓ１−９
無線ＬＡＮ制御部１０１は、無線パケット送信部１０７から受け入れた送信データの転送速度を計測し、その値を負荷判定部１１２へ送出して動作を終了する。
【００４５】
上記動作の途中で他のアクセスポイントから負荷情報の取得要求が有った場合には以下のステップが追加される。
ステップｓ１−１０
有線ＬＡＮ制御部１０４は、負荷判定部１１２から負荷情報を読み出す。
ステップｓ１−１１
有線ＬＡＮ制御部１０４は、有線ＬＡＮ１０５を介して負荷情報の取得要求が有った他のアクセスポイントへ負荷情報を送信する。
【００４６】
以上説明したように、本実施例によれば、別のアクセスポイントに再接続する可能性がある無線端末装置に対して、再接続先のアクセスポイントを経由した通信では、十分な通信が行えないことを事前に警告することが可能になるという効果を得る。即ち、例えばＩＰ電話による通信の場合には、本来送られてくる筈のパケットデータの一部を強制的に欠落させることで通話音声に途切れやノイズが発生し、無線端末装置を利用している通話者に対して警告を行う事になる。
【００４７】
尚、上記説明に於いて、送信されるパケットデータが複数のパケットデータからなる場合であって、受信側で再生される音声の内容が、１ｗｏｒｄ毎に分かれている場合等、途中で途切れても意味が通じる場合には、警告対象パケットとなる所定のパケットの種類から除外しても良い。
【実施例２】
【００４８】
図４は、実施例２のアクセスポイントの機能説明図である。
図に示すように、本実施例によるアクセスポイント３００は、無線ＬＡＮ制御部１０１と、無線パケット受信部１０２と、受信パケットバッファ１０３と、有線ＬＡＮ制御部１０４と、送信パケットバッファ１０６と、無線パケット送信部１０７と、受信端末電界強度記憶部１０８と、警告対象端末選択部１０９と、警告対象パケット選択部１１０と、送信パケット生成部３１０と、負荷判定部１１２と、アンテナ１２０とを備える。
【００４９】
本実施例と実施例１との相違点は、実施例１に於ける送信パケット制御部１１１（図２）が、送信パケット生成部３１０に置き換えられたのみであり、その他の部分は実施例１と全く同様なので以下に、送信パケット生成部３１０のみについて詳細に説明する。尚、実施例２による無線ＬＡＮシステムの全体構成は、実施例１による無線ＬＡＮシステムの全体構成（図１）において、実施例１のアクセスポイントが実施例２のアクセスポイントによって置き換えられたのみなので説明を省略する。
【００５０】
送信パケット生成部３１０は、警告対象パケット選択部１１０から受け入れた警告対象パケット情報に基づいて、無線パケット送信部１０７を制御して送信パケットに所定の加工を施こして警告音パケットを生成する部分である。この所定の加工については、後に動作の項で図を用いて詳細に説明する。
【００５１】
次に、図中のステップＳ２−１〜ステップＳ２−１２、及びステップｓ２−１〜ステップｓ２−１０まで、ステップ順に従って、本実施例のアクセスポイント内部に於ける信号の流れ（各部分の動作）について詳細に説明する。但し、Ｓ２−１〜ステップＳ２−１２は、実施例１に於けるＳ１−１〜ステップＳ１−１２と全く同様なので説明を省略し、ステップｓ２−１〜ステップｓ２−１０まで、無線端末装置への信号の流れについてのみ説明する。
【００５２】
ステップｓ２−１
有線ＬＡＮ制御部１０４は、有線ＬＡＮ２０５を介してアクセスポイント１１６、又はアクセスポイント１１７からパケットデータを受信する。
【００５３】
ステップｓ２−２
有線ＬＡＮ制御部１０４は、有線ＬＡＮ１０５から受信したパケットデータを送信パケットバッファ１０６へ送出して一時記憶させる。
【００５４】
ステップｓ２−３
有線ＬＡＮ制御部１０４は、有線ＬＡＮ１０５を介して受信したパケットデータを、送信パケットバッファ１０６へ送出した転送速度を計測し、その値を負荷判定部１１２へ送出する。
【００５５】
ステップｓ２−４
警告対象パケット選択部１１０は、警告対象端末選択部１０９から警告対象端末装置に関する情報を入手し、更に、送信パケットバッファ１０６を監視し、送信パケットバッファ１０６から受け入れたパケットが警告対象パケットであるか否かを判断する。
【００５６】
ステップｓ２−５
警告対象パケット選択部１１０は、受け入れたパケットが警告対象パケットであるか否かについての判断結果（警告対象パケット情報）を送信パケット生成部３１０に対して送出する。
【００５７】
ステップｓ２−６
無線パケット送信部１０７は、無線ＬＡＮ制御部１０１の制御に基づいて、送信パケットバッファ１０６からパケットデータを受け入れて無線ＬＡＮ制御部１０１へ送出する。
【００５８】
ステップｓ２−７
送信パケット生成部３１０は、警告対象パケット選択部１１０から受け入れた警告対象パケット情報に基づいて、無線パケット送信部１０７を制御し、ステップｓ２−６に於いて無線ＬＡＮ制御部１０１へ送出される送信パケットに所定の加工を施して警告音パケットを生成する。ここでパケットデータ加工の一例について説明する。
【００５９】
図５は、実施例２によるＩＰ電話パケットの加工例説明図である。
（ａ）は、正常時にアクセスポイント３００（図４）から無線端末装置１１３（図１）へ送信されるＩＰ電話パケットの一例であり、（ｂ）は、警告時にアクセスポイント３００（図４）から無線端末装置１１３（図１）へ送信されるＩＰ電話パケットの一例である。
【００６０】
（ａ）に示すように、正常時には、送信パケットバッファ１０６から連続するパケットが所定の順番にしたがって一定間隔で読み出され、無線ＬＡＮ制御部１０１へ送出される。一方、警告時には、本来所定の順番に従って一定間隔で読み出されるべきパケットの内、例えば４０％が警告音パケットＡ１、Ａ２で置き換えられ無線ＬＡＮ制御部１０１へ送出される。ここで警告音パケットＡ１、Ａ２は、予め送信パケット生成部３１０の内部に記憶されているものとする。
【００６１】
図４に戻って、
ステップｓ２−８
無線ＬＡＮ制御部１０１は、無線パケット送信部１０７からパケットデータを受け入れて変調し、アンテナ１２０から電磁波を介して無線端末装置１１３、１１４、１１５へ送信する。
【００６２】
ステップｓ２−９
無線ＬＡＮ制御部１０１は、無線パケット送信部１０７から受け入れた送信データの転送速度を計測し、その値を負荷判定部１１２へ送出して動作を終了する。
【００６３】
上記動作の途中で他のアクセスポイントから負荷情報の取得要求が有った場合には以下のステップが追加される。
ステップｓ２−１０
有線ＬＡＮ制御部１０４は、負荷判定部１１２から負荷情報を読み出す。
ステップｓ１−１１
有線ＬＡＮ制御部１０４は、有線ＬＡＮ１０５を介して負荷情報の取得要求が有った他のアクセスポイントへ負荷情報を送信する。
【００６４】
以上説明したように、本実施例によれば、本来送られてくる筈のパケットデータの一部を強制的に警告音で置き換えることで通話音声に警告音を再生させ、無線端末装置を利用している通話者に対して警告を行う事になるので、上記実施例１に比較して、より一層警告が明確になるという効果を得る。尚、上記、警告音に換えて、警告アナウンスにしても良い。
【産業上の利用可能性】
【００６５】
以上の説明では、本発明を電磁波を用いた無線ＬＡＮに適用する場合に限定して説明したが、本発明はこの例に限定されるものではない。即ち、赤外光を用いた無線ＬＡＮに適用することも可能である。
【図面の簡単な説明】
【００６６】
【図１】実施例１による無線ＬＡＮシステムの構成図である。
【図２】実施例１のアクセスポイントの機能説明図である。
【図３】実施例１によるＩＰ電話パケットの加工例説明図である。
【図４】実施例２のアクセスポイントの機能説明図である。
【図５】実施例２によるＩＰ電話パケットの加工例説明図である。
【符号の説明】
【００６７】
１００    アクセスポイント
１０１    無線ＬＡＮ制御部
１０２    無線パケット受信部
１０３    受信パケットバッファ
１０４    有線ＬＡＮ制御部
１０５    有線ＬＡＮ
１０６    送信パケットバッファ
１０７    無線パケット送信部
１０８    受信端末電界強度記憶部
１０９    警告対象端末選択部
１１０    警告対象パケット選択部
１１１    送信パケット制御部
１１２    負荷判定部
１１３    無線端末装置
１１４    無線端末装置
１１５    無線端末装置
【図１】
2006295517.tif 000003
【図２】
2006295517.tif 000004
【図３】
2006295517.tif 000005
【図４】
2006295517.tif 000006
【図５】
2006295517.tif 000007